【事件の表示】
　上記当事者間の登録第２１２１７１４号商標の登録取消審判事件について、次のとおり審決する。
【結　論】
　登録第２１２１７１４号商標の指定商品中、「電気通信機械器具，電子応用機械器具（医療機械器具に属するものを除く）」については、その登録は取り消す。
　審判費用は、被請求人の負担とする。
【理　由】
１　本件商標
　本件登録第２１２１７１４号商標（以下「本件商標」という。）は、「アイカップ」の片仮名文字を横書きしてなり、昭和６１年１月３１日に登録出願、第１１類「電気機械器具、電気通信機械器具、電子応用機械器具（医療機械器具に属するものを除く）電気材料」を指定商品として平成元年３月２７日に設定登録されたものであり、その後、同１１年４月１３日及び同２１年３月２４日の２回にわたり商標権の存続期間の更新登録がなされ、現に有効に存続しているものである。 
　そして、本件審判の請求の登録は、平成２０年７月８日にされたものである。
　
２　請求人の主張
　請求人は、結論同旨の審決を求め、その理由及び答弁に対する弁駁を要旨以下のように述べ、証拠方法として甲第１号証ないし甲第３号証を提出した。
（１）請求の理由
　本件商標は、その指定商品のうち「電気通信機械器具，電子応用機械器具（医療機械器具に属するものを除く）」について、継続して３年以上日本国内において商標権者、専用使用権者または通常使用権者のいずれも使用した事実が存在しないから、商標法第５０条第１項の規定により取り消されるべきものである。
（２）答弁に対する弁駁
　被請求人が提出している書類からは、本件商標が「電気通信機械器具，電子応用機械器具（医療機械器具に属するものを除く）」について、商標法上の「使用」がされていることの証明はなされていない。
（ア）乙第１号証及び乙第２号証について
　乙第１号証及び乙第２号証に記載されている「アイカップ」は、商品の識別標識ではなく、商品の一般名称として使用されているから、商標法上の「使用」がなされていない。
　その証左として、乙第１号証の２において、「アイカップ」の記載は、「視度補正レンズ」、「ラバーフレーム」と同じ意味、すなわち商品の一般名称として用いられており、乙第１号証の３においても、「アイカップ」の記載は、「アングルファインダー」、「アダプター」、「ラバーフレーム」、「アンチフォグアイピース」、「フォーカシングスクリーン」と同じ意味、すなわち商品の一般名称として用いられており、更に、このことは、乙第２号証においても同様である。
（イ）「アイカップ」が一般名称であることについて
　オンラインショッピングのサイト（甲第２号証）によれば、被請求人以外のメーカーが「アイカップ」という名称の商品を販売している。また、インターネット上の辞書（甲第３号証）によれば、「アイカップ」の語は「カメラのファインダー接眼部に装着して、接眼部から光が入らないようにしたゴム製・軟プラスチック製のカバー」と定義されている。
　上記甲各号証からも、「アイカップ」は、自他商品を識別する標章ではなく、特定の商品を表す一般名称であることは明らかである。
　
３　被請求人の答弁
　被請求人は、本件審判の請求は成り立たない、審判費用は請求人の負担とするとの審決を求めると答弁し、その理由を要旨以下のように述べ、証拠方法として乙第１号証及び乙第２号証（枝番を含む。）を提出した。
（１）答弁の理由
　被請求人は、本件商標を本件審判の請求の登録日前３年以内に日本国内において、その指定商品である「電気通信機械器具」に属する商品である「デジタル一眼レフカメラ用接眼目当て」について使用している。
　乙第１号証は、被請求人が製造している一眼レフカメラ「ＥＯＳ」用のアクセサリーカタログであり、２００５年９月時点において、本件商標を使用していた事実を証明するものである。
　一眼レフカメラ「ＥＯＳ」には、銀塩カメラとデジタルカメラがあるが、この当時のものでは、「アイカップＥｃ−II」、「アイカップＥｂ」及び「アイカップＥｆ」が銀塩カメラとデジタルカメラの両機種に適合するものである。
　乙第２号証は、被請求人が製造しているデジタル一眼レフカメラ「ＥＯＳ−１Ｄ　ＭａｒｋIII」のカタログであり、２００７年２月時点において、本件商標を使用していた事実を証明するものである。
　以上の証拠により、本件商標は、本件請求の指定商品に属する商品である「電気通信機械器具」について、本件審判の請求の登録日前３年以内に、被請求人により日本国内において使用されていたことは明らかである。
（２）弁駁に対する答弁
　被請求人は、請求人の弁駁に対して何ら答弁するところがない。
　
４　当審の判断
（１）本件商標は、前記１のとおり、「アイカップ」の片仮名文字を書してなり、第１１類「電気機械器具、電気通信機械器具、電子応用機械器具（医療機械器具に属するものを除く）電気材料」を指定商品とするものであるところ、被請求人は、本件商標を「デジタル一眼レフカメラ用接眼目当て」に使用している旨主張している。
　ところで、「デジタルカメラ」自体は、本件商標の出願時に適用されていた商標法施行規則（昭和５０年通商産業省令第８５号による改正）別表の第１１類の「電気通信機械器具」に例示されてはいないが、例えば、デジタルカメラの歴史（http://digitalcamera.main.jp/chishiki/rekisi.html）によれば、「デジタルカメラの歴史は意外と古く、１９８１年ソニーが磁気記録方式による『マビカ』を発表したことからはじまります。・・・その後キャノンがはじめて１９８６年に『ＲＣ−７０１』を市販しました。しかしそれはシステム一式で５００万円という到底個人向けと言えるようなものではありませんでした。・・・それからしばらくして私達にとって身近になったのは、１９９５年カシオが『ＱＶ−１０』を発売してからです。」と記載されており、このような記載からみれば、「デジタルカメラ」自体は、本件商標が出願された当時において既に存在していたと認められるものであり、「ビデオテープレコーダー、ビデオカメラ」等とともに、第１１類の「電気通信機械器具」の範ちゅうに属する商品と認められるものである。
（２）そこで、被請求人の提出に係る乙各号証をみるに、乙第１号証及び乙第２号証によれば、以下の事実を認めることができる。
ア　乙第１号証の１ないし４は、裏表紙（乙第１号証の４）に「２００５年９月現在」と記載された被請求人の業務に係るカタログであり、表紙（乙第１号証の１）には、左肩に「Ｃａｎｏｎ」の欧文字が大きく表示されており、右肩に「ＥＯＳ」の欧文字が大きく表示され、その上に小さく「ＥＯＳアクセサリーカタログ」との記載があり、該「ＥＯＳ」の欧文字の下にやゝ小さく「Ａｃｃｅｓｓｏｒｉｅｓ」の欧文字が表されている。
　２頁目（乙第１号証の２）には、「ＦＩＮＤＥＲ　ＡＣＣＥＳＳＯＲＩＥＳ，ＯＴＨＥＲＳ」の大見出しがあり、その下に、黒塗り横長矩形内に白抜きで表された「アイカップ」の小見出しがあって、「撮影に集中できる接眼部装着アクセサリー。」との説明が記載されている。そして、更にその下に、「アイカップ」、「視度補正レンズ」、「ラバーフレーム」の項目が設けられており、それぞれの項目のもとに幾つかの商品が掲載されている。そのうち、「アイカップ」の項目には、「アイカップＥｃ−II　￥１，５００」、「アイカップＥｂ　￥６５０」、「アイカップＥｄ−Ｅ　￥２，０００」、「アイカップＥｆ　￥６５０」等の商品が掲載されている。
　また、３頁目（乙第１号証の３）には、「ＦＩＮＤＥＲ」の大見出しのもとに、「アングルファインダーＣ」を構成しているアダプターとして、「アダプターＥｄ−Ｃ」と「アダプターＥｃ−Ｃ」が表示されており、そのそれぞれが対応する「ＥＯＳ」の型番とそのアダプターに適応する製品が一覧表の形で表示されている。例えば、「アダプターＥｃ−Ｃ」については、「ＥＯＳ−１Ｖ、ＥＯＳ−１Ｎ」等のカメラに対応しており、該アダプターに適応する製品として、「アイカップＥｃ−II」、「ラバーフレームＥｃ」、「アンチフォグアイピースＥｃ」等が掲げられている。
イ　乙第２号証の１ないし３は、裏表紙（乙第２号証の３）に「２００７年２月現在」と記された被請求人の業務に係るカタログであり、表紙（乙第２号証の１）には、左肩に「Ｃａｎｏｎ」の欧文字が大きく表示されており、右肩に「ＥＯＳ−１Ｄ」の文字が大きく表示され、その下にやゝ小さく「ＭａｒｋIII」の文字が表されている。
　２頁目（乙第２号証の２）の「システムマップ」の欄には、カメラに取り付ける各種の部品・附属品の位置関係やパソコン等との接続関係が図示されており、「付属品」の文字のもとに網掛けされた商品として、「リチウム電池ＣＲ２０２５」、「ＡＣアダプターキットＡＣＫ−Ｅ４」、「バッテリーパックＬＰ−Ｅ４」、「ビデオケーブルＶＣ−１００」等とともに「アイカップＥｇ」が表示されている。また、「アクセサリーリスト」の欄には、「アイカップＥｇ」が「視度補正レンズＥｇ−４」、「アンチフォグアイピースＥｇ」等とともに掲載されている。
（３）上記（２）において認定した事実を総合すると、被請求人（商標権者）は、本件審判の請求の登録前３年以内の２００５（平成１７）年９月に印刷・発行されたカタログ及び２００７（平成１９）年２月に印刷・発行されたカタログに、「Ｃａｎｏｎ」のハウスマーク及び「ＥＯＳ」の個別商標のもとに、「ＥＯＳ」のカメラに係る各種のアクセサリーを掲載しており、その中に、「アイカップ」の語を表示して数種類の接眼部装着アクセサリーを掲載していた事実を認めることができる。
　しかし、乙第１号証の２に掲載されている「アイカップＥｄ−Ｅ」の商品の説明において、「ＥＯＳ−３、５、７、５５用の大型アイカップ。太陽光など外光の進入を抑え、ファインダーの視認性を向上させます。」と記載されているばかりでなく、請求人の提出に係る甲第３号証（インターネット上の辞書）によれば、「アイカップ」の語は「カメラのファインダー接眼部に装着して、接眼部から光が入らないようにしたゴム製・軟プラスチック製のカバー」と説明されており、請求人以外のパナソニック、オリンパス及びペンタックスの各メーカーも「アイカップ、視度補正アイカップ」という名称をもって商品を販売している事実（甲第２号証）が認められる。
　そうすると、乙各号証のカタログにおいて表示されている「アイカップ」の語は、商品の普通名称と認められる「視度補正レンズ」や「ラバーフレーム」（乙第１号証）、あるいは商品の普通名称と品番を表す記号とを組み合わせたと認められる「リチウム電池ＣＲ２０２５」、「ＡＣアダプターキットＡＣＫ−Ｅ４」、「バッテリーパックＬＰ−Ｅ４」等（乙第２号証）の商品名と同じ位置付けのもとに記載されていることからみれば、専ら、商品名（カメラのファインダーの部品あるいは附属品の名称）として使用されているものというべきであって、自他商品の出所識別標識として用いられているものとは認め難く、また、該カタログに接する取引者・需要者においても自他商品の出所識別標識として理解・認識することはないものというべきである。
　してみれば、本件商標は、本件審判の請求の登録前３年以内に日本国内において、被請求人（商標権者）によって、「デジタル一眼レフカメラ用接眼目当て」について、商標として使用されていたものとは認められない。
（４）まとめ
　以上のとおり、被請求人の答弁の全趣旨及び乙各号証を総合的に判断しても、被請求人は、本件審判の請求の登録前３年以内に日本国内において、商標権者、専用使用権者又は通常使用権者のいずれかが本件商標を取消請求に係る指定商品のいずれかについて使用をしていた事実を証明したものということはできない。　 
　したがって、本件商標の登録は、商標法第５０条の規定により、本件商標の指定商品中、取消請求に係る第１１類「電気通信機械器具，電子応用機械器具（医療機械器具に属するものを除く）」について取り消すべきものとする。 
　よって、結論のとおり審決する。